(57)【要約】      （修正有）【課題】帯を結んだ後、身体を大きく動かした際においても、腰回りを蒸れにくくすると共に、帯及び帯板が動くことを防止し着崩れすることがない男性用の帯板を提供する。【解決手段】全体略細長板状に形成された帯板部１１と、上記帯板部の長さ方向一端部に帯状の固定用ベルト部１３とを有し、上記帯板部の表面側１５及び裏面側１６には滑り止め部１７、１８を設ける。また、帯板１０は、固定用ベルト１３を帯板部１１の表面側１５を通るように一周させた後、固定用ベルト１３の任意の箇所に係止することができる。このとき、固定用ベルト１３の幅方向の長さ寸法は、帯板部１１の幅方向の長さ寸法よりも小さくなるように形成されており、多数形成された孔部１４を塞ぐことはないため、通気性を確保することができる。【選択図】図１
0003183605.tif 000002
【実用新案登録請求の範囲】
【請求項１】
全体略細長板状に形成された帯板部と、上記帯板部の長さ方向一端部に帯状の固定用ベルト部とを有し、上記帯板部の表面側及び裏面側には滑り止め部が設けられていることを特徴とする男性用帯板。
【請求項２】
上記固定用ベルト部は伸縮性を有する素材により形成されていることを特徴とする請求項１記載の男性用帯板。
【請求項３】
上記固定用ベルト部は上記帯板部の上記滑り止め部から延設されていることを特徴とする請求項２記載の男性用帯板。
【請求項４】
上記固定用ベルトの先端部には面ファスナーにより形成された係止部が設けられていることを特徴とする請求項３記載の男性用帯板。
【請求項５】
上記帯板部には、上記帯板部を貫通して多数の孔部が形成されていることを特徴とする請求項３記載の男性用帯板。
【考案の詳細な説明】
【技術分野】
【０００１】
本考案は、和服を着用する際に装着する帯板であって、特に男性用の帯板に関するものである。
【背景技術】
【０００２】
明治時代に西洋の「洋服」に対して生まれた日本の「和服」は、今日では成人式や卒業式、結婚式等の冠婚葬祭においては、着用することが一般的となっている。
また、夏祭りや花火大会等の夏のイベントにおいては、柄や素材が多彩になっている浴衣や甚平が衣装として浸透しており、湯上り着として着用されていた時代と比較するとファッション性も高く、若年男性が浴衣や甚平を着用する機会は多い。
【０００３】
しかし、和服を着用する男性がいる一方で、男性は和服を着用した際でも動き回ることが多く、また、子供の面倒に追われること等もあるため、帯を締めた腰の辺りは熱気がこもりやすく女性よりも蒸れやすいと共に、帯を長時間着崩れしないように外観良く安定した状態に結ぶことは難しい。
また、帯を結んだ後も着崩れを防止することができる帯の下に装着する帯板は、比較的幅の太いものが多いため、風通しを悪くし、熱気がこもる要因となっていた。
【０００４】
このような観点から、帯を結んだ後も蒸れにくいと共に、装着感が良く着崩れを防止することができる帯の下に装着する帯板類として以下のような従来技術が存在する。
例えば、特許文献１には、帯板本体に通気孔を設け、さらに通気性の良いカバー布を貼り合わせたことで、蒸れを防止することができ、また、カバー布に皺がよらず、仕上りを美麗に維持することができる帯板が開示されている。
【０００５】
特許文献２には、前板本体に弾性を有した芯部材を設けると共に、芯部材の中央部に複数の孔を設けたことで、長期間使用した際においても、帯をほどよく保形し、皺が生じることを防止できると共に、通気性が良く良好に使用することができる前板が開示されている。
【０００６】
特許文献３には、帯板本体の内部に設けられた芯板の部分の帯板本体裏面にクッション体を備えたことで、暑さを抑えて不快感を軽減することが可能となる帯板が開示されている。
【０００７】
特許文献４には、小孔を設けた帯板本体の長手方向の両端上辺角部を斜めにカットし、上縁両端部に外側へ向って下るように傾斜した合わせ縁部を設けると共に、帯板本体の内面部を平滑面、外面部を粗面としたことで、帯の結び目をきれいに形成し、かつ身体にフィットすることで着崩れを防止することができるため、着用時のシルエットを美しくすることができると共に、面ファスナーを着脱自在としたため、サイズ調節を容易にできる帯板が開示されている。
【特許文献１】特開２００３−２９３２１１号公報
【特許文献２】実用新案登録第３０４１４５２号公報
【特許文献３】実用新案登録第３０６６０５５号公報
【特許文献４】特開２００２−２６６１４２号公報
【考案の開示】
【考案が解決しようとする課題】
【０００８】
しかしながら、特許文献１にあっては、繻子織されたサテンのカバー布は、摩擦に弱いため、前結びした帯を体の背面に回動させる際に帯板も同時に回動することで、着物が着崩れしやすく、また皺が入りやすい不具合があった。また、特許文献２にあっては、帯板裏面部に滑り止め部を有していないため、上記同様の理由により、着物が着崩れしやすく、また皺が入りやすい不具合があった。また、特許文献３及び４にあっては、係止部に伸縮性を有していないため、係止部の位置を装着者の体型により適宜選択することができないと共に、帯板表面部は平滑となっているため、結んだ帯が上下左右に動き着物が着崩れしやすいという不具合があった。
【０００９】
本考案は、このような従来からの不具合を解決するためのものであり、帯を結んだ後、身体を大きく動かした際においても、腰回りを蒸れにくくすると共に、帯及び帯板が動くことを防止し着崩れすることがない帯板を提供することにある。
【課題を解決するための手段】
【００１０】
上記課題達成のため、請求項１記載の考案にあっては、全体略細長板状に形成された帯板部と、上記帯板部の長さ方向一端部に帯状の固定用ベルト部とを有し、上記帯板部の表面側及び裏面側には滑り止め部が設けられていることを特徴とする。
【００１１】
請求項２記載の考案にあっては、上記固定用ベルト部は伸縮性を有する素材により形成されていることを特徴とする。
【００１２】
請求項３記載の考案にあっては、上記固定用ベルト部は上記帯板部の上記滑り止め部から延設されていることを特徴とする。
【００１３】
請求項４記載の考案にあっては、上記固定用ベルトの先端部には面ファスナーにより形成された係止部が設けられていることを特徴とする。
【００１４】
請求項５記載の考案にあっては、上記帯板部には、上記帯板部を貫通して多数の孔部が形成されていることを特徴とする。
【考案の効果】
【００１５】
請求項１記載の考案にあっては、全体略細長板状に形成された帯板部は、表面側及び裏面側には滑り止め部が設けられている。
したがって、上記帯板部の上記表面側に設けられた上記滑り止め部により、和服を着用し身体を動かした際においても、帯及び和服が動くことを防止することができる。
その結果、帯がずれ落ち襟元が乱れてしまう等の和服が着崩れすることを防止することができ、和服を長時間着用した際においても、外観良く安定した和服姿を披露することができる。
【００１６】
また、上記帯板部の上記裏面側に設けられた上記滑り止め部により、帯を身体の前で結んだ後、後ろに回動させた場合でも、上記帯板が連動して回動することを防止することができる。
その結果、帯を後ろに回動させた場合でも、和服が着崩れすることはなく、外観良く安定した和服姿を披露することができる。
【００１７】
また、上記帯板部は全体略細長板状に形成されているため、従来の比較的幅の太い帯板と比較し、軽量であると共に、通気性が確保されるため帯を締めた腰の辺りに熱気がこもり蒸れることがなくなる。
その結果、和服を着用した際でも動きやすく、例えば暑い夏場においても、快適に過ごすことができると共に、上記帯板の製造コストを削減することができる。
【００１８】
請求項２から４記載の考案にあっては、上記固定用ベルト部は、伸縮性を有する素材により形成されると共に、先端部には面ファスナーにより形成された係止部が設けられている。
したがって、上記係止部の位置を装着者の体型や和服の着用場面に応じて適宜選択することができる。
その結果、例えば、体型が異なる装着者でも容易に着用することができる。
また、例えば、盆踊りや御輿を担ぐ等比較的身体を動かす際にはよりきつく締めることで着崩れを防止し、一方、結婚式や花火大会等身体を大きく動かくすことのない場合には圧迫感を感じない程度に緩く締めても着崩れを防止できる等、着用場面に応じた着用が可能となる。
【００１９】
さらに、上記固定用ベルト部は上記帯板部の上記滑り止め部から延設されている。
したがって、上記帯板を和服に着用する際においては、上記帯板は、まず和服の右衽に上記帯板部を配置させ、上記固定用ベルト部を右回りに廻し、上記帯板部の上に和服の左衽を重ねた後、固定用ベルトの任意の箇所に係止される。
その結果、外観からは上記帯板部は見えない構成となっており、幅の細い角帯を着用した際でも、上記角帯が上記固定用ベルト部のみを被覆することとなり、外観良い和服姿を披露することができる。
【００２０】
請求項５記載の考案にあっては、上記帯板部には、上記帯板部を貫通して多数の孔部が形成されている。
したがって、通気性が確保されるため、和服を着用し子供の面倒に追われることや身体を大きく動かした際においても、帯を締めた腰の辺りに熱気がこもり蒸れることもない。その結果、例えば暑い夏場においても、和服を着て快適に過ごすことができる。
【図面の簡単な説明】
【００２１】
【図１】本考案に係る帯板の斜視図である。
【図２】本考案に係る帯板を巻いて係止部で係止させた状態を示す背面図である。
【図３】本考案に係る帯板を巻いて係止部で係止させた状態を示す正面図である。
【図４】本考案に係る帯板を和服に着用する着付け作業を説明する斜視図である。
【考案を実施するための最良の形態】
【００２２】
以下、添付図面に示す実施の形態に基づき、本考案を詳細に説明する。
図１に示すように、本実施の形態に係る帯板１０は、全体略細長板状に形成された帯板部１１と、帯板部１１の長さ方向一端部１２に固定用ベルト１３とを有している。
帯板部１１は、帯板部１１を貫通して多数の孔部１４が形成されると共に、表面側１５及び裏面側１６には、ウレタンゴム等の摩擦抵抗力の大きい合成ゴムにより形成された滑り止め部１７、１８とが設けられている。
滑り止め部１７、１８は、細長体状に形成され、帯板部１１の略全域に亘って表面側１５及び裏面側１６に固定されている。
【００２３】
固定用ベルト１３は、cis-ポリイソプレンを主成分とする天然ゴム、またはポリブタジエン系やニトリル系、クロロプレン系化合物を重合した合成ゴム等の伸縮性を有した高弾性材料により、胴廻りを一周以上できる長さの帯状に形成され、帯板部１１の表面側１５に設けられた滑り止め部１７から延設されている。
また、先端部１９の裏面側２０には、面ファスナーにより形成された係止部２１が設けられ、固定用ベルト１３を胴廻りを一周以上させた後、固定用ベルト１３の任意の箇所に係止可能となるように構成されている。
【００２４】
図２は、本考案に係る帯板１０を巻いて係止部２１で係止させた状態を示す背面図である。
図２に示すように、帯板１０は、固定用ベルト１３を帯板部１１の表面側１５を通るように一周させた後、固定用ベルト１３の任意の箇所に係止することができる。
このとき、固定用ベルト１３の幅方向の長さ寸法ｈは、帯板部１１の幅方向の長さ寸法ｈ１よりも小さくなるように形成されており、多数形成された孔部１４を塞ぐことはないため、通気性を確保することができる。
【００２５】
また、帯板部１１の裏面側１６には滑り止め部１８が設けられているため、帯板１０を和服に着用し、さらに、帯を身体の前で結んだ後、後ろに回動させた場合でも、帯板１０が連動して回動することはない。これにより、和服が着崩れすることはなく、外観良く安定した和服姿を披露することができる。
【００２６】
図３は、本考案に係る帯板１０を巻いて係止部２１で係止させた状態を示す正面図である。
図３に示すように、固定用ベルト１３は、帯板部１１の表面側１５に一周して配置されている。
このとき、固定用ベルト１３の幅方向の長さ寸法ｈは、帯板部１１の表面側１５に設けられた滑り止め部１７の幅方向の長さ寸法ｈ２よりも小さくなるように形成されており、滑り止め部１７を塞ぐことはないため、帯板１０を和服に着用し、さらに、帯を結んだ後、身体を動かした際においても、帯が動くことはない。これにより、帯がずれ落ち襟元が乱れてしまう等の着崩れすることを防止することができ、和服を長時間着用した際においても、外観良く安定した和服姿を披露することができる。
【００２７】
図４（ａ）から（ｂ）は、本考案に係る帯板１０を和服２２に着用する着付け作業を説明する斜視図である。
（ａ）は、帯板１０を和服２２に着用する際において、和服２２の右衽２３に帯板部２４を配置させた斜視図である。
（ｂ）においては、帯板部２４に設けられた固定用ベルト部２５を右回りに一周廻し、さらに帯板部２４の上に和服２２の左衽２６を重ねた後、固定用ベルト１３の任意の箇所に係止させた状態を示す斜視図である。
【００２８】
図４（ｂ）に示すように、帯板部２４は、和服２２の右衽２３と左衽２６の間に挟まれ外観からは見えず、固定用ベルト部２５のみが見える構成となっている。
これにより、和服２２の上に幅の細い角帯（図示せず）を着用した際でも、角帯が固定用ベルト部２５のみを被覆することとなるため、外観良い和服姿を披露することができる。
【産業上の利用可能性】
【００２９】
従って、本考案に係る帯板は、特に男性が和服を着用する際に装着する帯板であって、腰回りを蒸れにくくすると共に、帯及び帯板が動くことを防止し、着崩れすることなく外観良く安定した和服姿を披露することができるため、産業上の利用可能性を有している。
【符号の説明】
【００３０】
１０  帯板
１１  帯板部
１２  長さ方向一端部
１３  固定用ベルト
１４  孔部
１５  表面側
１６  裏面側
１７  滑り止め部
１８  滑り止め部
１９  先端部
２０  裏面側
２１  係止部
２２  和服
２３  右衽
２４  帯板部
２５  固定用ベルト
２６  左衽
ｈ  固定用ベルトの幅方向の長さ寸法
ｈ１  帯板部の幅方向の長さ寸法
ｈ２  滑り止め部の幅方向の長さ寸法
【図１】
0003183605.tif 000003
【図２】
0003183605.tif 000004
【図３】
0003183605.tif 000005
【図４】
0003183605.tif 000006